(57)【要約】【課題】敷設されたブロックに固定された手摺に外力が加わっても倒れることを防止することができ、かつ、手摺の設置が容易である手摺の倒れ防止構造を提供する。【解決手段】手摺１０が固定されたアンカーブロック５ａと、アンカーブロック５ａの周囲に敷設されたブロック５とが係止部材２０で係止されている。手摺１０に外力が加わりアンカーブロック５ａが浮き上がろうとすると、周囲に敷設されたブロック５も連れ上がろうとして、それらのブロック５の重量により、アンカーブロック５ａが浮き上がり難くなり、手摺１０が倒れることを防止できる。また、防水層３を貫通し、下地コンクリートスラブ１に達するアンカーを用いる必要がないので、手摺の設置が容易にできる。【選択図】図１
2012092628.tif 000002
【特許請求の範囲】
【請求項１】
敷設面に敷き詰められたブロックに固定された手摺の倒れ防止構造であって、
前記手摺が固定されたアンカーブロックと、該アンカーブロックの周囲に敷設されたブロックとが係止されている
ことを特徴とする手摺の倒れ防止構造。
【請求項２】
前記手摺が固定されたアンカーブロックと、該アンカーブロックの周囲に敷設されたブロックとが係止部材で係止されている
ことを特徴とする請求項１記載の手摺の倒れ防止構造。
【請求項３】
前記係止部材は、前記ブロックの底面に係止する長尺の水平板を備えており、
該水平板によって、前記アンカーブロックと、前記手摺が延びる方向に対して交差する方向に該アンカーブロックと連なる複数のブロックとが係止されている
ことを特徴とする請求項２記載の手摺の倒れ防止構造。
【請求項４】
複数の前記係止部材を備えており、
一の係止部材の水平板によって、前記アンカーブロックと、前記手摺が延びる方向に対して交差する方向に該アンカーブロックと連なる複数のブロックと、前記手摺が延びる方向に該アンカーブロックおよび該複数のブロックと隣り合うブロックとが係止されており、
他の一の係止部材の水平板によって、前記一の係止部材の水平板によって係止されたブロックと、前記手摺が延びる方向に該ブロックと隣り合うブロックとが係止されている
ことを特徴とする請求項３記載の手摺の倒れ防止構造。
【請求項５】
前記手摺は、前記敷設面に対して立設する支柱と、該支柱を支える控柱とを備えており、
前記支柱が支柱アンカーブロックに固定されており、前記控柱が控柱アンカーブロックに固定されており、
前記係止部材の水平板によって、前記支柱アンカーブロックと、前記控柱アンカーブロックと、該支柱アンカーブロックと該控柱アンカーブロックとを結ぶ直線上に位置する複数のブロックとが係止されている
ことを特徴とする請求項３記載の手摺の倒れ防止構造。
【請求項６】
前記係止部材は、前記水平板に立設する長尺の垂直板を備えており、
該垂直板と前記ブロックの側面とが接合されている
ことを特徴とする請求項３、４または５記載の手摺の倒れ防止構造。
【請求項７】
前記手摺が固定されたアンカーブロックの側面に形成された凸部または凹部と、該アンカーブロックの周囲に敷設されたブロックの側面に形成された凹部または凸部とが嵌ることにより、該アンカーブロックと該ブロックとが係止されている
ことを特徴とする請求項１、２、３、４、５または６記載の手摺の倒れ防止構造。
【請求項８】
敷設面に敷き詰められたブロックに固定された手摺の倒れ防止に用いられる係止部材であって、
前記手摺が固定されたアンカーブロックの底面と、前記手摺が延びる方向に対して交差する方向に該アンカーブロックと連なる複数のブロックの底面とを係止する長尺の水平板を備える
ことを特徴とする係止部材。
【請求項９】
前記水平板に立設し、前記ブロックの側面と接合される長尺の垂直板を備える
ことを特徴とする請求項８記載の係止部材。
【発明の詳細な説明】
【技術分野】
【０００１】
本発明は、手摺の倒れ防止構造に関する。さらに詳しくは、例えば、保水ブロックが敷設されたルーフバルコニーや屋上等に手摺を設置した場合に、設置した手摺が倒れることを防止するための構造に関する。
【背景技術】
【０００２】
近年、都市部におけるヒートアイランド現象が大きな問題となっている。これを解決するためには、ルーフバルコニーや屋上等に保水ブロック（例えば、特許文献１および２）を敷設することが考えられる。保水ブロックを敷設しておけば、降雨や打ち水によって保水ブロック内に保水した水分が太陽熱によって蒸発し、その気化熱によって保水ブロックの温度が下がり、これによりルーフバルコニーや屋上等の温度を下げることができるからである。
【０００３】
一般的なルーフバルコニーは、建物の構造体である下地コンクリートスラブの上に、断熱材層、防水層、保護コンクリート、樹脂製化粧シートをこの順に積層した構造をしている。
これに対して、ルーフバルコニーに保水ブロックを敷設する場合には、図９に示すように、下地コンクリートスラブ１、断熱材層２、防水層３をこの順に積層し、防水層３の上に下地ボード４を敷き、その上に保水ブロック105が敷設される。
【０００４】
このようなルーフバルコニーに手摺１０を設置する場合には、下地コンクリートスラブ１まで達するアンカーを用いれば、手摺１０を強固に固定することができる。しかしその場合、防水層３にもアンカー用の孔を穿設する必要があるため、防水層３とアンカーとの間から雨水等が入り込み易くなって、防水層の機能が損なわれることになる。
そこで、図９に示すように、手摺１０の支柱１１を固定する支柱アンカー１１ａおよび控柱１２を固定する控柱アンカー１２ａを、保水ブロック105にのみ穿設されたアンカー用穴に固定し、手摺１０を設置することが考えられる。
【０００５】
しかるに、上記構造の場合、手摺１０は保水ブロック105でしか支えられていないため、人が手摺１０に寄り掛かったり、強風により大きな外力が加わったりすると、手摺１０ごと保水ブロック105が浮き上がり、手摺１０が倒れる恐れがあるという問題がある。
【０００６】
一方、特許文献３および４には、下地コンクリートスラブまで達するアンカーを用いた手摺の取付構造が記載されている。これらの従来技術では、防水層にアンカー用の孔を穿設し、その孔の周囲にシールパッキンを施している。このような構造とすることで、手摺を強固に固定しつつ、雨水等が防水層を通ることを防止することができる。
【０００７】
しかるに、上記従来技術では、下地コンクリートスラブにもアンカー用の孔を穿設する必要があり、かつ、その孔の周囲に雨水等が通らないようなシールを施す必要があるため、手摺の設置が容易でなく、施工に時間がかかるという問題がある。
【先行技術文献】
【特許文献】
【０００８】
【特許文献１】特開２００６−２４９７６０号公報
【特許文献２】特開２００８−３０３６２０号公報
【特許文献３】特開２０１０−４８０４０号公報
【特許文献４】特開平６−２００５７７号公報
【発明の概要】
【発明が解決しようとする課題】
【０００９】
本発明は上記事情に鑑み、敷設されたブロックに固定された手摺に外力が加わっても倒れることを防止することができ、かつ、手摺の設置が容易である手摺の倒れ防止構造を提供することを目的とする。
【課題を解決するための手段】
【００１０】
第１発明の手摺の倒れ防止構造は、敷設面に敷き詰められたブロックに固定された手摺の倒れ防止構造であって、前記手摺が固定されたアンカーブロックと、該アンカーブロックの周囲に敷設されたブロックとが係止されていることを特徴とする。
第２発明の手摺の倒れ防止構造は、第１発明において、前記手摺が固定されたアンカーブロックと、該アンカーブロックの周囲に敷設されたブロックとが係止部材で係止されていることを特徴とする。
第３発明の手摺の倒れ防止構造は、第２発明において、前記係止部材は、前記ブロックの底面に係止する長尺の水平板を備えており、該水平板によって、前記アンカーブロックと、前記手摺が延びる方向に対して交差する方向に該アンカーブロックと連なる複数のブロックとが係止されていることを特徴とする。
第４発明の手摺の倒れ防止構造は、第３発明において、複数の前記係止部材を備えており、一の係止部材の水平板によって、前記アンカーブロックと、前記手摺が延びる方向に対して交差する方向に該アンカーブロックと連なる複数のブロックと、前記手摺が延びる方向に該アンカーブロックおよび該複数のブロックと隣り合うブロックとが係止されており、他の一の係止部材の水平板によって、前記一の係止部材の水平板によって係止されたブロックと、前記手摺が延びる方向に該ブロックと隣り合うブロックとが係止されていることを特徴とする。
第５発明の手摺の倒れ防止構造は、第３発明において、前記手摺は、前記敷設面に対して立設する支柱と、該支柱を支える控柱とを備えており、前記支柱が支柱アンカーブロックに固定されており、前記控柱が控柱アンカーブロックに固定されており、前記係止部材の水平板によって、前記支柱アンカーブロックと、前記控柱アンカーブロックと、該支柱アンカーブロックと該控柱アンカーブロックとを結ぶ直線上に位置する複数のブロックとが係止されていることを特徴とする。
第６発明の手摺の倒れ防止構造は、第３、第４または第５発明において、前記係止部材は、前記水平板に立設する長尺の垂直板を備えており、該垂直板と前記ブロックの側面とが接合されていることを特徴とする。
第７発明の手摺の倒れ防止構造は、第１、第２、第３、第４、第５または第６発明において、前記手摺が固定されたアンカーブロックの側面に形成された凸部または凹部と、該アンカーブロックの周囲に敷設されたブロックの側面に形成された凹部または凸部とが嵌ることにより、該アンカーブロックと該ブロックとが係止されていることを特徴とする。
第８発明の係止部材は、敷設面に敷き詰められたブロックに固定された手摺の倒れ防止に用いられる係止部材であって、前記手摺が固定されたアンカーブロックの底面と、前記手摺が延びる方向に対して交差する方向に該アンカーブロックと連なる複数のブロックの底面とを係止する長尺の水平板を備えることを特徴とする。
第９発明の係止部材は、第８発明において、前記水平板に立設し、前記ブロックの側面と接合される長尺の垂直板を備えることを特徴とする。
【発明の効果】
【００１１】
第１発明によれば、アンカーブロックと周囲に敷設されたブロックとが係止されているので、手摺に外力が加わりアンカーブロックが浮き上がろうとすると、周囲に敷設されたブロックも連れ上がろうとして、それらのブロックの重量により、アンカーブロックが浮き上がり難くなり、手摺が倒れることを防止できる。また、防水層を貫通し、下地コンクリートスラブに達するアンカーを用いる必要がないので、手摺の設置が容易にできる。
第２発明によれば、アンカーブロックと周囲に敷設されたブロックと係止部材で係止されているので、手摺に外力が加わりアンカーブロックが浮き上がろうとすると、周囲に敷設されたブロックも連れ上がろうとして、それらのブロックの重量により、アンカーブロックが浮き上がり難くなり、手摺が倒れることを防止できる。また、防水層を貫通し、下地コンクリートスラブに達するアンカーを用いる必要がないので、手摺の設置が容易にできる。
第３発明によれば、長尺の水平板が、手摺が延びる方向に対して交差する方向に設置されているので、人が手摺に寄り掛かっている場合には、水平板が係止するブロックの上に人が立つことになり、アンカーブロックが浮き上ろうとしても、人の重量によりアンカーブロックが浮き上がり難くなり、手摺が倒れることを防止できる。
第４発明によれば、複数の係止部材により、手摺が延びる方向に隣り合うブロックも係止されているので、アンカーブロックに連れ上がろうとするブロックの数が多くなり、よりアンカーブロックが浮き上がり難くなり、手摺が倒れることを防止できる。
第５発明によれば、手摺は支柱と控柱で固定されているので、支柱のみで固定されている場合に比べて倒れ難い。また、手摺に外力が加わると、控柱アンカーブロックを中心に手摺が回転しようとするため、支柱アンカーブロックは真上に浮き上がろうとする。そのため、支柱アンカーブロックと係止部材の接合部分に捻る力が加わらないので、接合部分が破損することを防止できる。
第６発明によれば、垂直板がブロックと接合されているので、アンカーブロックが浮き上がろうとすると、係止部材もアンカーブロックに追従し、係止部材に係止されているブロックを連れ上げようとすることができる。そのため、それらのブロックの重量により、アンカーブロックが浮き上がり難くなり、手摺が倒れることを防止できる。また、垂直板は水平板に立設しているので、水平板が曲がり難くなり、係止されているブロックを確実に連れ上げることができる。
第７発明によれば、アンカーブロックと周囲に敷設されたブロックと凸部と凹部が嵌ることで係止されているので、手摺に外力が加わりアンカーブロックが浮き上がろうとすると、周囲に敷設されたブロックも連れ上がろうとして、それらのブロックの重量により、アンカーブロックが浮き上がり難くなり、手摺が倒れることを防止できる。また、防水層を貫通し、下地コンクリートスラブに達するアンカーを用いる必要がないので、手摺の設置が容易にできる。
第８発明によれば、長尺の水平板を、手摺が延びる方向に対して交差する方向に設置すれば、人が手摺に寄り掛かっている場合には、水平板が係止するブロックの上に人が立つことになり、アンカーブロックが浮き上ろうとしても、人の重量によりアンカーブロックが浮き上がり難くなり、手摺が倒れることを防止できる。
第９発明によれば、垂直板をブロックと接合すれば、アンカーブロックが浮き上がろうとすると、係止部材もアンカーブロックに追従し、係止部材に係止されているブロックを連れ上げようとすることができる。そのため、それらのブロックの重量により、アンカーブロックが浮き上がり難くなり、手摺が倒れることを防止できる。また、垂直板は水平板に立設しているので、水平板が曲がり難くなり、係止されているブロックを確実に連れ上げることができる。
【図面の簡単な説明】
【００１２】
【図１】本発明の第１実施形態に係る手摺の倒れ防止構造の説明図である。
【図２】同手摺の倒れ防止構造が適用されるルーフバルコニーの平面図である。
【図３】図３の部分拡大図である。
【図４】保水ブロックの斜視図であって、（Ａ）は通常の保水ブロック、（Ｂ）は溝が形成された保水ブロックである。
【図５】係止部材の斜視図である。
【図６】（Ａ）は図３におけるVIa-VIa線矢視断面図であり、（Ｂ）は図３におけるVIb-VIb線矢視断面図である。
【図７】図３におけるVII-VII線矢視断面図である。
【図８】本発明の第２実施形態に係る手摺の防止構造が適用されるルーフバルコニーの拡大平面図である。
【図９】従来の保水ブロックに手摺を固定した場合の説明図である。
【発明を実施するための形態】
【００１３】
つぎに、本発明の実施形態を図面に基づき説明する。
（第１実施形態）
本発明の第１実施形態は、ルーフバルコニーに敷き詰められた保水ブロックに固定された手摺の倒れ防止構造である。
図１に示すように、本実施形態に係るルーフバルコニーは、建物の構造体である下地コンクリートスラブ１の上に、断熱材層２、防水層３が積層された構造となっており、防水層３の上に下地ボード４が敷かれ、その上に保水ブロック５が敷設されている。
なお、ルーフバルコニーは、特許請求の範囲に記載の「敷設面」に相当する。「敷設面」はルーフバルコニーに限らず、屋上や歩道等、ブロックが敷設される種々のものを意味する。また、保水ブロック５は、特許請求の範囲に記載の「ブロック」に相当する。「ブロック」は保水ブロックに限らず、その他敷設面に敷き詰められるブロックを意味する。
【００１４】
図２に示すように、保水ブロック５は一列ごとに互い違い（馬目地）に配置されており、ルーフバルコニーの全面を覆うように敷き詰められている。
図４（Ａ）に示すように、保水ブロック５は、その一側面に横長の凹部５１が形成されており、相対する側面には横長の凸部５２が形成されている。凹部５１および凸部５２は互いに嵌合する形状をしており、保水ブロック５をルーフバルコニーに敷設すると、隣り合う保水ブロック５，５のうち一方の凸部５２が他方の凹部５１に嵌り、互いに係止するようになる。
【００１５】
本実施形態では、図２における左右方向に凹部５１および凸部５２が向くように保水ブロック５が配置されており、左右方向に隣り合う保水ブロック５，５が互いに係止するようになっている。より詳細には、図３に示すように、一の保水ブロック５ｉは、その保水ブロック５ｉに対して左右の斜め方向に隣り合う４つの保水ブロック５ｊ，５ｋ，５ｌ，５ｍと互いに係止するようになっている。
一方、凸部５２または凹部５１が形成されていない側面は略平面となっており、図２における上下方向にその側面が向くように保水ブロック５が配置されている。したがって、上下方向に隣り合う保水ブロック５，５は直接的には互いに係止されていない。しかしながら、図３に示すように、上下方向に隣り合う二つの保水ブロック５ｉ，５ｎは、それらの左右方向に隣り合う２つの保水ブロック５ｋ，５ｍに共に係止されていることから、間接的に互いに係止するようになっている。
結果として、保水ブロック５を馬目地に配置した場合には、左右方向および上下方向に隣り合う保水ブロック５，５が、全て互いに係止するようになっている。
【００１６】
このように、ルーフバルコニーに保水ブロック５を敷設しておけば、降雨や打ち水によって保水ブロック内に保水した水分が太陽熱によって蒸発し、その気化熱によって保水ブロックの温度が下がり、これによりルーフバルコニーや屋上等の温度を下げることができる。
【００１７】
また、ルーフバルコニーに保水ブロック５を敷設することにより、保水ブロック５および下地ボード４を剥がすだけで防水層３を露わにすることができるので、防水層３の維持補修および改修が容易となる。また、保水ブロック５に色彩を施したり、化粧仕上げを施したりすることで、ルーフバルコニーの美観を向上させることができる。さらに、乾式施工であるため、工期を短縮でき、しかも工場生産により保水性能を付与することができる。
【００１８】
本実施形態に係る保水ブロックは、凸部５２と凹部５１が嵌り合うことにより、隣り合う保水ブロック５，５が互いに係止するので、風圧による飛散を防ぐことができる。
【００１９】
ルーフバルコニーには手摺１０が設置される。図１に示すように、手摺１０は、複数の支柱１１と、支柱１１と保水ブロック５との間に斜掛けに設けられた控柱１２と、対向する支柱１１，１１間に固定され、横方向に延びる上下の横桟１３，１４と、上下の横桟１３，１４間に所要間隔おきに配設される多数の手摺り子１５とから構成される。また、控柱１２は邪魔にならないようにルーフバルコニーの外側を向いて設置される。図２に示すように、手摺１０はルーフバルコニーの外周を囲むように設置され、３面が外に面しているルーフバルコニーでは、手摺１０はコの字形に設置される。
【００２０】
図７に示すように、支柱１１の下端には支柱アンカー１１ａが取り付けられている。支柱アンカー１１ａは側面視コの字型をしており、開口部が下方を向いている。ルーフバルコニーに敷設された保水ブロック５のうち、支柱１１の下方に位置する保水ブロック５には、支柱アンカー１１ａが嵌合するアンカー用穴が形成されている。より詳細には、保水ブロック５の上面に２つの穴が形成されており、その２つの穴はそれぞれコの字型の支柱アンカー１１ａの突出している部分が嵌るようになっている。支柱アンカー１１ａがアンカー用穴に嵌ることで、支柱１１が保水ブロック５に固定されるようになる。
以後、便宜的に、この支柱アンカー１１ａ用の穴が形成された保水ブロック５を支柱アンカーブロック５ａと称するが、支柱アンカーブロック５ａは支柱アンカー１１ａ用の穴が形成されている他は、他の保水ブロック５と同一の構成を有する。
【００２１】
控柱１２の下端には控柱アンカー１２ａが取り付けられている。より詳細には、控柱１２の下端は、保水ブロック５の上面に積載される板部材となっており、その板部材に形成された孔にボルトである控柱アンカー１２ａが上から挿入されている。ルーフバルコニーに敷設された保水ブロック５のうち、控柱１２の下端が接する保水ブロック５には、控柱アンカー１２ａが螺合するアンカー用穴が形成されている。控柱アンカー１２ａがこのアンカー用穴に螺合することで、控柱１２が保水ブロック５に固定されるようになる。
以後、便宜的に、この控柱アンカー１２ａ用の穴が形成された保水ブロック５を控柱アンカーブロック５ｂと称するが、控柱アンカーブロック５ｂは控柱アンカー１２ａ用の穴が形成されている他は、他の保水ブロック５と同一の構成を有する。
【００２２】
このように、防水層３を貫通し、下地コンクリートスラブ１に達するアンカーを用いる必要がないので、手摺１０の設置が容易にできる。
【００２３】
図２に示すように、手摺１０が固定された支柱アンカーブロック５ａおよび控柱アンカーブロック５ｂと、それらの周囲に敷設された保水ブロック５とは係止部材２０で係止されている。
【００２４】
図５に示すように、係止部材２０は、水平板２１と、その水平板２１に立設する垂直板２２とからなる、断面視逆Ｔ字型の長尺の部材である。また、垂直板２２には、所定間隔で孔２３が形成されており、横からネジを挿入できるようになっている。
【００２５】
図３に示すように、この係止部材２０は一の支柱１１の周りに４本設置されており、かつ、その長尺方向が手摺１０が延びる方向に対して直行するよう（図３における左右方向）に設置されている。
より詳細には、図６（Ａ）に示すように、係止部材２０は、支柱アンカーブロック５ａを挟んで両側に２本ずつ、手摺１０が延びる方向に保水ブロック５の幅寸法と同一の間隔で設置されている。垂直板２２は保水ブロック５の目地に嵌められており、孔２３に挿入されたネジ２４が保水ブロック５に螺合している。このとき、ネジ２４の先端は支柱１１に向かうように挿入されており、支柱アンカーブロック５ａを挟む２つの係止部材２０ａ，２０ａは支柱アンカーブロック５ａに接合されている。
【００２６】
なお、保水ブロック５の側面に、垂直板２２が嵌る高さまで凹部５３を形成しておけば、垂直板２２の厚みよりも目地幅を狭くすることができる。
【００２７】
水平板２１は保水ブロック５に敷かれているため、係止部材２０は水平板２１で保水ブロック５の底面と係合している。より詳細には、支柱アンカーブロック５ａを挟む２つの係止部材２０ａ，２０ａは支柱アンカーブロック５ａの底面、および支柱アンカーブロック５ａに隣接する保水ブロック５ｃの底面に係合している。また、外側に位置する２つの係止部材２０ｂ，２０ｂは保水ブロック５ｃの底面、および保水ブロック５ｃに隣接する保水ブロック５ｄの底面に係合している。
【００２８】
前述のとおり、係止部材２０は、その長尺方向が手摺１０が延びる方向に対して直行するように設置されている。また、図３に示すように、保水ブロック５は、手摺１０が延びる方向に対して直行する方向に、一列ごとに互い違いに配置されている。したがって、図６（Ｂ）に示すように、垂直板２２は、支柱アンカーブロック５ａと目地がずれている保水ブロック５に対して、その中心を通ることになる。そこで、このような位置に敷設される保水ブロック５には、その底面に垂直板２２が嵌められる溝５４が形成されている（図４（Ｂ）参照）。
【００２９】
なお、垂直板２２は保水ブロック５の側面とネジ２４で接合されるが、垂直板２２が保水ブロック５の中心を通る場合には、ネジ２４を挿入することができないので、接合されていない。すなわち、垂直板２２が中心を通る保水ブロック５は、水平板２１に載った状態となっている。
【００３０】
以上のように係止部材２０が設置されているから、支柱アンカーブロック５ａに接合される係止部材２０ａ，２０ａによって、支柱アンカーブロック５ａと、手摺１０が延びる方向に対して直行する方向に支柱アンカーブロック５ａと連なる複数の保水ブロック５と、手摺１０が延びる方向にそれらの保水ブロック５と隣り合う保水ブロック５ｃとが係止されている。また、外側に位置する係止部材２０ｂ，２０ｂによって、保水ブロック５ｃと、手摺１０が延びる方向に保水ブロック５ｃと隣り合う保水ブロック５ｄとが係止されている。
【００３１】
また、図３に示すように、係止部材２０の長さは控柱アンカーブロック５ｂにも達しているため、支柱アンカーブロック５ａおよび控柱アンカーブロック５ｂと、それらの周囲に敷設された保水ブロック５とは係止部材２０で係止されて一体となっている。
【００３２】
図１に示すように、手摺１０に人が寄り掛かったり、強風により大きな外力が加わったりすると、手摺１０ごと保水ブロック５が浮き上がろうとする。例えば、外力がルーフバルコニーの内側から外側に向けてかかった場合、ルーフバルコニーの外側に位置する控柱アンカーブロック５ｂを中心に手摺１０が縦に回転しようとし、支柱アンカーブロック５ａは真上に浮き上がろうとする。しかし、上記のように、隣り合う保水ブロック５は凹部５１および凸部５２により互いに係止されており、さらに、支柱アンカーブロック５ａおよび控柱アンカーブロック５ｂと、それらの周囲に敷設された保水ブロック５とは係止部材２０で係止されているから、支柱アンカーブロック５ａに追従して周囲に敷設された保水ブロック５も連れ上がろうとする。そうすると、それらの保水ブロック５の重量により、支柱アンカーブロック５ａが浮き上がり難くなり、手摺１０が倒れることを防止できる。
【００３３】
特に、人が手摺１０に寄り掛かっている場合には、係止部材２０が係止する保水ブロック５の上に人が立つことになり、支柱アンカーブロック５ａが浮き上ろうとしても、人の重量により支柱アンカーブロック５ａが浮き上がり難くなり、手摺１０が倒れることを防止できる。
【００３４】
また、本実施形態では、複数の係止部材２０を用いて、手摺１０が延びる方向に支柱アンカーブロック５ａと隣り合う保水ブロック５も係止されているので、支柱アンカーブロック５ａに連れ上がろうとする保水ブロック５の数が多くなり、より支柱アンカーブロック５ａが浮き上がり難くなり、手摺が倒れることを防止できる。
【００３５】
なお、垂直板２２は係止部材２０を保水ブロック５に接合するための部材であるが、水平板２１に立設されているため、水平板２１が保水ブロック５の重量により曲がり難くなり、係止されている保水ブロック５を確実に連れ上げることができるという効果も奏することができる。
【００３６】
さらになお、本実施形態の手摺１０は支柱１１と控柱１２で固定されているので、支柱１１のみで固定されている場合に比べて倒れ難い。また、控柱１２があることにより、外力がルーフバルコニーの内側から外側に向けてかかった場合、ルーフバルコニーの外側に位置する控柱アンカーブロック５ｂを中心に手摺１０が縦に回転しようとし、支柱アンカーブロック５ａは真上に浮き上がろうとする。そのため、支柱アンカーブロック５ａと係止部材の接合部分に捻る力が加わらないので、接合部分が破損することを防止できる。
外力がルーフバルコニーの外側から内側に向けてかかった場合も同様に、ルーフバルコニーの内側に位置する支柱アンカーブロック５ａを中心に手摺１０が回転しようとし、控柱アンカーブロック５ｂは真上に浮き上がろうとする。そのため、控柱アンカーブロック５ｂと係止部材の接合部分に捻る力が加わらないので、接合部分が破損することを防止できる。
【００３７】
（第２実施形態）
第１実施形態では、係止部材２０は、その長尺方向が手摺１０が延びる方向に対して直行するように設置されたが、これに限らず、長手方向が手摺１０が延びる方向に対して交差する方向に設置されていれば良い。
例えば、図８に示すように、手摺１０が延びる方向が保水ブロック５の目地に対して斜めになっている場合には、係止部材２０を目地に沿って設置すれば、手摺１０が延びる方向に対して交差して設置されることとなる。本実施形態でも、支柱１１の周囲の保水ブロック５を係止することができ、また、人が係止された保水ブロック５の上に立つこととなるので、第１実施形態と同様の効果を奏することができる。
【００３８】
（その他の実施形態）
前記実施形態では、保水ブロック５は馬目地に配置されていたが、目地が縦、横ともに一直線になるように芋目地に配置されていてもよい。芋目地に配置された場合には、係止部材２０の垂直板２２はすべて目地に嵌められることとなり、一部の保水ブロック５に溝５４を設ける必要はない。
ただし、芋目地に配置すると、凸部５２または凹部５１が形成されていない側面同士が接触して隣り合う保水ブロック５，５は、直接的にも間接的にも互いに係止されない。そのため、風圧による飛散を防ぐ効果、および、手摺１０が倒れることを防ぐ効果が弱くなる。
【００３９】
また、前記実施形態では、係止部材２０を用いたが、凸部５２または凹部５１のように、保水ブロック５，５が互いに係止する構造を有していれば、係止部材２０を用いなくても、手摺１０が倒れることを防ぐことができる。
【００４０】
また、本発明は、ルーフバルコニーに限らず、屋上や歩道等、ブロックが敷設される種々のものに適用することができ、保水ブロックに限らず、その他敷設面に敷き詰められるブロックを敷設した場合にも適用することができる。これらの場合でも、上記実施形態と、同様の効果を奏することができる。
【符号の説明】
【００４１】
１０    手摺
１１    支柱
１１ａ  支柱アンカー
１２    控柱
１２ａ  控柱アンカー
２０    係止部材
２１    水平板
２２    垂直板
５      保水ブロック
５ａ    支柱アンカーブロック
５ｂ    控柱アンカーブロック
５１    凹部
５２    凸部
【図２】
2012092628.tif 000003
【図３】
2012092628.tif 000004
【図４】
2012092628.tif 000005
【図５】
2012092628.tif 000006
【図６】
2012092628.tif 000007
【図７】
2012092628.tif 000008
【図８】
2012092628.tif 000009
【図９】
2012092628.tif 000010
【図１】
2012092628.tif 000011